(57)【要約】      （修正有）【課題】点検や交換の対象となる構成部品をより迅速に特定することが可能な設備保守システムを提供する。【解決手段】複数の構成部品を備えた複数の装置によって構成される設備を監視する設備保守システムに関する。各装置の全体画像を登録した全体画像記憶部３３ｂと、各装置を構成する構成部品についての構成部品画像を登録した構成部品画像記憶部３３ｄとを有する。コントロール部３４は、作業者が所要の構成部品を備えた装置に接近したことを認識すると、当該装置の全体画像を全体画像記憶部３３ｂより取り出して携帯型端末３２に表示させ、さらにコントロール部３４は、作業者が上記装置における所要の構成部品にさらに接近したことを認識すると、当該構成部品についての構成部品画像を構成部品画像記憶部３３ｄより取り出して携帯型端末３２に表示させる。【選択図】図３
2019113888.tif 000002
【特許請求の範囲】
【請求項１】
複数の構成部品を備えた複数の装置によって構成される設備を監視する設備保守システムであって、
設備内の作業者の位置を認識する位置認識手段と、作業者が携帯するとともに画像等を表示させる携帯型端末と、上記携帯型端末に上記設備のレイアウトおよび上記位置認識手段が認識した作業者の位置を表示させるコントロール部とを備えた設備保守システムにおいて、
各装置の全体画像を登録した全体画像記憶部と、各装置を構成する構成部品についての構成部品画像を登録した構成部品画像記憶部とを有し、
上記コントロール部は、上記位置認識手段に基づいて作業者が所要の構成部品を備えた装置に接近したことを認識すると、当該装置の全体画像を上記全体画像記憶部より取り出して上記携帯型端末に表示させ、
さらに上記コントロール部は、作業者が上記装置における所要の構成部品にさらに接近したことを認識すると、当該構成部品についての構成部品画像を上記構成部品画像記憶部より取り出して上記携帯型端末に表示させることを特徴とする設備保守システム。
【請求項２】
上記コントロール部は、上記携帯型端末に表示された全体画像に、上記所要の構成部品の位置している部分を特定するためのマーカーを表示させるマーカー表示手段を有することを特徴とする請求項１に記載の設備保守システム。
【請求項３】
上記装置の一部を拡大した拡大画像を登録した拡大画像記憶部を備え、
上記携帯型端末に上記全体画像が表示された状態で、上記コントロール部は、作業者が上記所要の構成部品を備えた装置に接近したことを認識すると、当該所要の構成部品についての拡大画像を上記拡大画像記憶部より取り出して上記携帯型端末の画面に表示させ、
作業者がさらに上記所要の構成部品に接近したら、上記構成部品画像が上記携帯型端末に表示されるようにすることを特徴とする請求項１または請求項２のいずれかに記載の設備保守システム。
【請求項４】
上記コントロール部は、上記携帯型端末の画面に表示された拡大画像に、上記所要の構成部品が位置している部分を特定するためのマーカーを表示させるマーカー表示手段を有することを特徴とする請求項３に記載の設備保守システム。
【請求項５】
上記コントロール部は、上記携帯型端末の画面に表示された構成部品画像に、上記所要の構成部品を特定するためのマーカーを表示させるマーカー表示手段を有することを特徴とする請求項１ないし請求項４のいずれかに記載の設備保守システム。
【発明の詳細な説明】
【技術分野】
【０００１】
本発明は設備保守システムに関し、詳しくは作業者が携帯する携帯型端末の画面に設備のレイアウトや作業者の位置を表示させる設備保守システムに関する。
【背景技術】
【０００２】
従来、複数の構成部品を備えた複数の装置によって構成される設備を監視する設備保守システムが知られ、特に設備内の作業者の位置を認識する位置認識手段と、作業者が携帯するとともに画像等を表示させる画面を備えた携帯型端末と、上記携帯型端末の画面に記設備のレイアウトおよび上記位置認識手段が認識した作業者の位置を表示させるコントロール部とを備えた設備保守システムが知られている（特許文献１）。
この特許文献１の設備保守システムを用いることで、上記設備の所要の装置において構成部品の点検や交換が必要となった場合に、上記携帯型端末に表示された設備のレイアウトと作業者の位置とから、対象となる構成部品を備えた装置へと迅速に移動することができる。
【先行技術文献】
【特許文献】
【０００３】
【特許文献１】特開２００１−１１８１７７号公報
【発明の概要】
【発明が解決しようとする課題】
【０００４】
しかしながら、対象となる装置が多数の構成部品によって構成されている場合、作業者が対象となる装置にたどり着けても、その装置から点検や交換の対象となる構成部品を特定するのは困難であり、当該構成部品の特定に時間がかかるほか、構成部品を誤認する恐れもあった。
このような問題に鑑み、本発明は対象となる構成部品をより迅速に特定することが可能な設備保守システムを提供するものである。
【課題を解決するための手段】
【０００５】
すなわち請求項１の発明にかかる設備保守システムは、複数の構成部品を備えた複数の装置によって構成される設備を監視する設備保守システムであって、
設備内の作業者の位置を認識する位置認識手段と、作業者が携帯するとともに画像等を表示させる携帯型端末と、上記携帯型端末に上記設備のレイアウトおよび上記位置認識手段が認識した作業者の位置を表示させるコントロール部とを備えた設備保守システムにおいて、
各装置の全体画像を登録した全体画像記憶部と、各装置を構成する構成部品についての構成部品画像を登録した構成部品画像記憶部とを有し、
上記コントロール部は、上記位置認識手段に基づいて作業者が所要の構成部品を備えた装置に接近したことを認識すると、当該装置の全体画像を上記全体画像記憶部より取り出して上記携帯型端末に表示させ、
さらに上記コントロール部は、作業者が上記装置における所要の構成部品にさらに接近したことを認識すると、当該構成部品についての構成部品画像を上記構成部品画像記憶部より取り出して上記携帯型端末に表示させることを特徴としている。
【発明の効果】
【０００６】
上記発明によれば、作業者が対象となる所要の構成部品を備えた装置に接近すると、携帯型端末の画面には当該作業者が当該設備に接近している方向から撮影した全体画像が映し出されるようになっている。
これにより、作業者は実際に見ている光景と携帯型端末に表示されている全体画像とから、対象となる構成部品を備えた装置に接近していることを認識することができる。
そのうえで、さらに作業者が当該装置に接近すると、対象となる構成部品が構成部品画像として携帯型端末の画面に表示されることから、実際に見ている光景と携帯型端末に表示されている画像とから、対象となる構成部品を迅速に特定することが可能となっている。
【図面の簡単な説明】
【０００７】
【図１】本実施例にかかる飲料プラントのレイアウト図
【図２】第３調合装置の配管図
【図３】設備保守システムの構成図
【図４】全体画像の一例
【図５】拡大画像の一例
【図６】構成部品画像の一例
【発明を実施するための形態】
【０００８】
以下図示実施例について説明すると、図１は設備としての飲料プラント１のレイアウト図を示し、以下に説明する携帯型端末に表示されるものを示している。また以下の説明において、本図の図示上方を北、下方を南、左方を西、右方を東として説明する。
上記飲料プラント１は、飲料の原料を調合する第１〜第３調合装置２Ａ〜２Ｃと、容器の殺菌洗浄を行う殺菌洗浄装置３と、上記容器に飲料を充填するとともにキャッピングを行う充填・キャッピング装置４と、飲料の充填された容器を包装する包装装置５とを備え、さらに飲料プラント１を制御するための制御手段６ａが設けられた制御室６や、資材等を収容した倉庫７を備えている。
上記第１〜第３調合装置２Ａ〜２Ｃでは、それぞれ異なる種類の飲料を調合するようになっており、例えば上記充填・キャッピング装置４において第１調合装置２Ａで調合した飲料を充填する間に、第２、第３調合装置２Ｂ、２Ｃにおいて他の飲料を調合することが可能となっている。
なお、上記飲料プラント１は公知であり、また上記構成はあくまでも一例であって、他の装置を有する場合も考えられる。
【０００９】
図２は上記第３調合装置２Ｃの配管図を示しており、例えば上記制御室６において第３調合装置２Ｃの状態を管理する際に用いられる図となっており、実際の構造を示したものではなく、実際には図４〜図５に示すように複雑な構成を有している。なお第１、第２調合装置２Ａ、２Ｂも同様の構成を有している。
第３調合装置２Ｃは、内部で飲料を混合させる複数の第１〜第３調合タンク１１Ａ〜１１Ｃを有し、上記第１〜第３調合タンク１１Ａ〜１１Ｃにシロップを供給するシロップ供給通路１２と、水を供給する水供給通路１３と、添加物を供給する添加物供給通路１４と、飲料の原液を供給する原液供給通路１５とが接続されている。
上記第１〜第３調合タンク１１Ａ〜１１Ｃの内部で上記シロップや原液を混合することで調合された飲料は、その後排出配管１６より排出され、熱交換器１７や殺菌機１８において熱処理や殺菌が行われた後、供給配管１９を介して充填・キャッピング装置４へと送液されるようになっている。
その他にも、上記第１〜第３調合タンク１１Ａ〜１１Ｃには、洗浄液が流通する洗浄液通路２０や、上記殺菌機１８を通過したものの、上記充填・キャッピング装置４に送液しきれなかった飲料を上記第１〜第３調合タンク１１Ａ〜１１Ｃに戻すための戻し通路２１が接続されている。
さらに、上記第１〜第３調合タンク１１Ａ〜１１Ｃには、内部の液体の温度を測定する温度計２２や、液面高さを検出する液面センサー２３が設けられ、また上記各通路には流量計２４や圧力計２５の他、図示小さな円で示したバルブＶやポンプＰが設けられている。
上記温度計２２や液面センサー２３からの信号は、上記制御室６に設けられた制御手段６ａに送信されて第３調合装置２Ｃの状態を監視するのに用いられ、また上記制御手段６ａは上記バルブＶやポンプＰを制御することにより、原料等を上記第１〜第３調合タンク１１Ａ〜１１Ｃに送液したり、また調合された飲料を上記充填・キャッピング装置４へと送液するようになっている。
なお上記構成を有する調合装置は従来公知であり、その構成や動作についてのこれ以上の詳細な説明については省略する。
【００１０】
上述したように、上記第３調合装置２Ｃは多数のセンサーやバルブＶなどの構成部品によって構成されており、これと同様、第１、第２調合装置２Ａ、２Ｂや充填・キャッピング装置４等の、飲料プラント１を構成する装置はそれぞれ多数の構成部品によって構成されている。
そして、上記装置を構成する構成部品については、定期的なメンテナンスや交換等の作業が必要であり、また装置に異常が発生した場合には速やかに当該構成部品の調整や交換を行う必要がある。
その際、各装置を構成する各構成部品に例えばバーコードやＩＣタグなどの識別手段を付すことで、作業者は点検や交換を行う際に上記識別手段を読み取り、当該構成部品が対象となる構成部品であるか否かを確認し、構成部品の誤認が生じないようにしている。
しかしながら、図４〜図６に示すように、実際の上記第３調合装置２Ｃは多数の構成部品によって構成されており、一見しただけでは上記点検や交換が必要な構成部品を特定するのは困難である。特に、不慣れな作業者は当該構成部品を特定するだけで多大な時間を費やす場合があり、さらには構成部品の誤認をする場合もあった。
【００１１】
このような問題に鑑み、本発明は対象となる構成部品を作業者が迅速かつ確実に探し出すことが可能な設備保守システムを提供するものであり、図３は当該設備保守システム３１を説明する図となっている。
設備保守システム３１は、作業者が携帯する携帯型端末３２と、各種のデータが格納されたデータベース部３３と、作業者の位置に応じて上記データベース部３３の情報を上記携帯型端末３２に送信するコントロール部３４とを備えている。
上記携帯型端末３２には従来公知のいわゆるタブレット端末を使用することができ、上記コントロール部３４とは無線を介して通信し、上記飲料プラント１のレイアウト図や写真等を表示させる画面３２ａと、飲料プラント１内において当該携帯型端末３２を携帯した作業者の位置を認識する位置認識手段３２ｂと、上記構成部品に付された上記識別手段を読み取る読み取り手段３２ｃとを備えている。
なお位置認識手段３２ｂについては、上記携帯型端末３２と別体のものとしてもよく、当該位置認識手段３２ｂを作業者が常時身に着けて、飲料プラント１内における作業者の位置を上記コントロール部３４に送信するものであってもよい。
これと同様、上記構成部品に付された識別手段を読み取る読み取り手段３２ｃについても、必ずしも上記携帯型端末３２と一体に設ける必要はない。
【００１２】
上記データベース部３３には、上記飲料プラント１のレイアウトを記憶したレイアウト記憶部３３ａと、上記各装置の全体を撮影した全体画像を記憶した全体画像記憶部３３ｂと、各装置の一部を拡大して撮影した拡大画像を記憶した拡大画像記憶部３３ｃと、各構成部品を撮影した構成部品画像を記憶した構成部品画像記憶部３３ｄと、上記飲料プラント１を構成する構成部品に関する情報を記憶した構成部品情報記憶部３３ｅとを備えている。
上記レイアウト記憶部３３ａは、上記図１のような飲料プラント１のレイアウトを記憶しており、上記コントロール部３４は当該レイアウト記憶部３３ａに登録されたレイアウトを上記携帯型端末３２の画面３２ａに表示させるようになっている。
さらにコントロール部３４は、上記携帯型端末３２の位置認識手段３２ｂから送信された作業者の位置を認識して、当該作業者の位置を携帯型端末３２に表示されたレイアウト上に重ねて表示するようになっている。
このとき、上記携帯型端末３２の位置認識手段３２ｂは当該携帯型端末３２を所持した作業者の進行方向も認識しており、例えば携帯型端末３２の画面３２ａの上方が作業者の進行方向を向いているとして認識し、携帯型端末３２には上記作業者の位置と共にその進行方向も表示させるようになっている（図１のＡ）。
【００１３】
上記全体画像記憶部３３ｂには、各装置を複数の方向から撮影した当該装置の全体もしくはその大部分が映るように撮影された写真からなる全体画像が登録されている。
上記第３調合装置２Ｃの全体画像としては、当該第３調合装置２Ｃを東側、西側、南側、北側の各方向から撮影した写真を登録するようになっており、これら各方向から撮影された写真は、上記レイアウト記憶部３３ａにおける各装置の東側、西側、南側、北側の各位置に対応して登録されている。
なお、装置の構成や大きさに応じて、各装置に対する全体画像の枚数や撮影する方向は適宜変更することが可能であり、例えば装置の東部側を、北側および南側に分割して撮影してもよく、また装置の東南側や北西側から撮影した画像を登録してもよい。
【００１４】
上記拡大画像記憶部３３ｃには、上記全体画像記憶部３３ｂに撮影された写真の一部を拡大した写真、もしくは装置の一部分を改めて撮影した写真からなる拡大画像が登録されている。
上記第３調合装置２Ｃについての拡大画像としては、図４の全体画像における図示左下近傍を撮影した図５に示すような写真となっており、複数の構成部品が依然として撮影されているものの、上記全体画像よりは対象が絞り込まれている写真となる。
なお、当該拡大画像では対象となる構成部品が他の構成部品等によって隠れていても、当該対象となる構成部品が当該拡大画像に撮影されているものとして扱うことができる。
【００１５】
上記構成部品画像記憶部３３ｄには、上記装置を構成する構成部品がそれぞれ明確に認識できるように撮影された写真からなる構成部品画像が登録されており、この場合図６に示すように一枚の構成部品画像に複数の構成部品が撮影されていてもよい。
【００１６】
上記構成部品情報記憶部３３ｅには、上記飲料プラント１を構成する装置のすべての構成部品について、当該構成部品が設けられている位置や、当該構成部品について行った点検や交換の履歴が登録されている。
また各構成部品情報記憶部３３ｅには、各構成部品に付されている認識手段のデータが登録されており、上記携帯型端末３２の読み取り手段３２ｃにより所要の構成部品の認識手段を読み取ると、当該構成部品を特定することが可能となっている。
さらに構成部品情報記憶部３３ｅの各構成部品には、上記全体画像記憶部３３ｂの全体画像、上記拡大画像記憶部３３ｃの拡大画像および、構成部品画像記憶部３３ｄの構成部品画像がリンクして登録されている。
換言すると、上述したように各構成部品にはその位置が登録されていることから、上記全体画像、拡大画像、構成部品画像には、それぞれ当該構成部品の位置情報が登録されているものといえる。
【００１７】
上記コントロール部３４は、上記構成部品情報記憶部３３ｅから、各構成部品の点検時期や交換時期を収集するとともに、上記飲料プラント１を構成する装置において異常が発生した場合に、その原因となる構成部品の情報を上記飲料プラント１の制御室６に設けられた制御手段６ａから受信するようになっている。
上記コントロール部３４は上記携帯型端末３２の画面３２ａに構成部品についての様々な情報を表示させるとともに、以下に詳述するように上記全体画像、拡大画像、構成部品画像を順次表示させて作業者を所要の構成部品へと誘導するようになっている。
【００１８】
またコントロール部３４は、上記全体画像、拡大画像、構成部品画像に、対象となる構成部品が撮影されている部分を示す円形のマーカーを表示させるマーカー表示手段３５を備えている。
上記構成部品情報記憶部３３ｅには、各構成部品について、上記全体画像、拡大画像、構成部品画像におけるどの位置に当該構成部品が位置しているかについての情報が登録されている。
これにより、コントロール部３４が上記携帯型端末３２に対して全体画像を表示させた場合には、図４に示す全体画像に対し、上記マーカー表示手段３５が上記構成部品が位置している部分に当該構成部品を囲うような略円形のマーカーを表示させるようになっている。
これと同様、上記携帯型端末３２に対して拡大画像を表示させた場合にも、図５に示す拡大画像に対し、上記マーカー表示手段３５が上記構成部品が位置している部分に略円形のマーカーを表示させるようになっている。
そして、上記携帯型端末３２に対して複数の構成部品が撮影された構成部品画像を表示させた場合には、図６に示す構成部品画像に対し、上記マーカー表示手段３５が上記構成部品が位置している部分に略円形のマーカーを表示させるようになっている。
なお、構成部品画像にひとつの構成部品しか表示されていない場合には、必ずしも当該構成部品画像に対して上記マーカーを表示させる必要はない。
【００１９】
上記構成を有する飲料プラント１の保守システム３１によれば、以下のようにして飲料プラント１の点検や構成部品の交換を行うことが可能となっている。
ここでは一例として、図１に示す飲料プラント１の第３調合装置２Ｃにおいて、図２に示す第１バルブＶ１に異常が発生し、当該第１バルブＶ１の点検を行う場合についての使用方法を説明する。
まず、第３調合装置２Ｃにおいて異常が発生し、上記飲料プラント１の制御手段６ａが第３調合装置２Ｃを構成する第１バルブＶ１において異常があることを認識する。
すると、上記飲料プラント１の制御手段６ａと上記コントロール部３４との間で通信を行い、コントロール部３４では上記構成部品情報記憶部３３ｅから上記第１バルブＶ１についての情報を収集する。
そしてコントロール部３４は、作業者が持つ携帯型端末３２に対して、飲料プラント１の第３調合装置２Ｃにおいて、第１バルブＶ１に異常が発生した旨の指示を行う。
【００２０】
続いてコントロール部３４は、上記レイアウト記憶部３３ａから読みだした飲料プラント１のレイアウトを上記携帯型端末３２に送信して画面３２ａに表示させる。
併せて、コントロール部３４は携帯型端末３２の位置情報および向きを受信して、当該携帯型端末３２を所持した作業者の位置および向きを図１のＡにて示すように上記飲料プラント１のレイアウト上に重ねて表示させる。
さらにコントロール部３４は、構成部品情報記憶部３３ｅから、第１バルブＶ１が第３調合装置２Ｃのどの部分に設けられているかを認識し、作業者が第３調合装置２Ｃに対してどの方向から接近すればよいか認識する。
ここで、上記第１バルブＶ１が第３調合装置２Ｃの北側に設けられている場合には、コントロール部３４は携帯型端末３２に、図１のＢにて示すように、第３調合装置２Ｃの北側を目的地として表示させる。
【００２１】
そして、作業者が携帯型端末３２に表示されたレイアウトに従って上記第３調合装置２Ｃの北側に移動し、当該位置で南側を向くと、作業者は第３調合装置２Ｃの北部側に正対することとなる。
するとコントロール部３４は、上記全体画像記憶部３３ｂから、第３調合装置２Ｃにおける北部側を撮影した全体画像を上記携帯型端末３２に表示させる。
携帯型端末３２の画面３２ａには図４に示すような第３調合装置２Ｃを北側から見た全体画像が表示され、作業者が実際に見ているのと同じ光景が表示されることとなる。
さらに、上記マーカー表示手段３５が上記全体画像における第１バルブＶ１が設けられている位置にマーカーを表示させ、作業者は第１バルブＶ１がどの位置に設けられているのかを大まかに把握することができる。
【００２２】
そして、作業者が上記全体画像に表示されたマーカーによって示された第１バルブＶ１に接近すると、コントロール部３４はこれを携帯型端末３２の位置認識手段３２ｂからの位置情報に基づいて認識する。
するとコントロール部３４は、上記拡大画像記憶部３３ｃから、第３調合装置２Ｃにおける第１バルブＶ１の近傍を撮影した図５に示す拡大画像を上記携帯型端末３２に表示させる。
なお、拡大画像の表示については、作業者が第１バルブＶ１に接近するのに代えて、作業者が携帯型端末３２に対して所要の操作を行うことで表示させるようにしてもよい。
さらに上記マーカー表示手段３５が、第１バルブＶ１の設けられている位置に基づいて、上記拡大画像にマーカーを表示させ、作業者は第１バルブＶ１がどの位置に設けられているのかを、上記全体画像を見た時よりも詳細に把握することができる。
【００２３】
そして、作業者が上記拡大画像に表示されたマーカーに示された第１バルブＶ１の近傍にさらに接近すると、コントロール部３４はこれを携帯型端末３２の位置情報に基づいて認識する。
するとコントロール部３４は、上記構成部品画像記憶部３３ｄから、第１バルブＶ１を撮影した構成部品画像を上記携帯型端末３２に表示させる。
構成部品画像には図５に示すように複数の同型のバルブＶが表示されるが、上記マーカー表示手段３５は上記第１バルブＶ１の位置にマーカーを表示させ、作業者は複数のバルブＶのなかから適切な第１バルブＶ１を誤認せずに認識することができる。
【００２４】
このようにして第１バルブＶ１を認識した作業者は、当該第１バルブＶ１に付されている認識手段に携帯型端末３２を接近させて、当該認識手段の情報を読み取り手段３２ｃによって読み取る。
すると、コントロール手段３４では送信された認識手段の情報を構成部品情報記憶部３３ｅに登録された構成部品の情報と照合し、作業者が適切に第１バルブＶ１を認識したことを確認する。
仮に作業者が異なる構成部品の認識手段を読み取った場合、コントロール手段３４はその旨を携帯型端末３２に送信し、再度の認識手段の認識を促すようになっている。
第１バルブＶ１の認識が終了すると、作業者は予め定められた手順、例えば構成部品情報記憶部３３ｅより読みだされて携帯型端末３２に表示された手順に従い、第１バルブＶ１の点検や調整を行う。
そして作業が終了すると、作業者は携帯型端末３２を操作することにより、上記点検や調整が完了したことをコントロール手段３４に送信し、コントロール手段３４は上記構成部品情報記憶部３３ｅの第１バルブＶ１の情報を更新する。
【００２５】
以上のように、本実施例によれば、複雑な構成を有する装置によって構成された飲料プラント１において、対象となる構成部品まで作業者を迅速かつ確実に誘導することができ、作業者による構成部品の誤認を防止することが可能となっている。
具体的には、作業者が対象となる構成部品を備えた装置の近傍に位置すると、最初に当該装置の全体画像が携帯型端末３２に表示され、作業者の見ている光景と同じ光景が写し出される。
そして作業者が上記装置において上記構成部品にされたに接近すると、対象となる構成部品の構成部品画像が携帯型端末３２に表示されるため、作業者の見ている光景を当該構成部品画像と対比することで、確実に対象となる構成部品を認識することができる。
さらに本実施例では、上記装置の構成が複雑である場合に、上記全体画像の一部を拡大した拡大画像を携帯型端末３２に表示させることから、全体画像からだけでは構成部品の位置を認識できない場合に、作業者を的確に構成部品へと導くことができる。
【００２６】
なお、本実施例における全体画像、拡大画像、構成部品画像は、それぞれ各装置や構成部品をカメラによって実際に撮影した写真となっているが、これらを理解できるようなイラストとしてもよく、またコンピュータグラフィックによる立体画像で表示してもよい。
また、上記実施例では最初に全体画像を携帯型端末３２の画面３２ａに表示させ、続いて拡大画像、構成部品画像の順に表示させることで、構成部品へと作業者を誘導するようになっているが、たとえば上記第３調合装置２Ｃの第１調合タンク１１Ａのように容易にその位置を認識できる構成部品の場合には、上記拡大画像を表示させずに構成部品画像を表示させてもよい。
すなわち、上記全体画像に第１調合タンク１１Ａが撮影されている場合、当該全体画像の第１調合タンク１１Ａに上記マーカー表示手段３５がマーカーを表示させ、その後作業者が第１調合タンク１１Ａに接近したら、当該第１タンクの構成部品画像を表示するようにしてもよい。
これとは逆に、一枚の拡大画像だけでは構成部品へと正確に作業者を誘導できない場合には、作業者が当該構成部品に接近するにつれて複数回に分けて拡大画像をさせるようにしてもよい。
さらに、携帯型端末３２の画面３２ａに複数の画像を表示させてもよく、例えば構成部品画像と図２に示すような配置図を表示させることも可能であり、また全体画像と構成部品画像とを同時に表示することも可能である。
そして、上記実施例では充填飲料プラント１を用いて説明したが、他の構成を有する飲料プラント１についても適用できることは明らかであり、また用いた写真も一例に過ぎないことはもちろんである。
【符号の説明】
【００２７】
１  飲料プラント（設備）          ２  第１〜第３調合装置（装置）
３１  保守システム                ３２  携帯型端末
３２ｂ  位置認識手段              ３３  データベース部
３３ａ  レイアウト記憶部          ３３ｂ  全体画像記憶部
３３ｃ  拡大画像記憶部            ３３ｄ  構成部品画像記憶部
３３ｅ  構成部品情報記憶部        ３４  コントロール部
３４ａ  マーカー表示手段          Ｖ  バルブ（構成部品）
【図１】
2019113888.tif 000003
【図２】
2019113888.tif 000004
【図３】
2019113888.tif 000005
【図４】
2019113888.tif 000006
【図５】
2019113888.tif 000007
【図６】
2019113888.tif 000008